(57)【要約】【課題】遊技機の隙間や新たに開けた孔からピアノ線等の器具を用いた不正行為を防止しつつ、メンテナンスする際、販売する際、レンタルする際、撤去する際や酢酸ビニール樹脂系接着剤の使用が禁止されている地域に搬入する際等には容易に取り外すことが可能な遊技機の不正行為防止材および不正行為を防止した遊技機の製造方法の提供。【解決手段】遊技機内部に粘着する所定の粘着強度を有し、ムーニー粘度３０〜８０の透明な絶縁体により構成される遊技機の不正行為防止材１であり、遊技機内部の配線接続部２または隙間に粘着させて使用する。この不正行為防止材１を使用した遊技機では、遊技機の隙間や新たに開けた孔からピアノ線等の器具を差し込んでも、ムーニー粘度３０〜８０の絶縁体により構成される不正行為防止材１をこの器具が容易に貫通することがなく、不正行為を防止することができる。【選択図】図１
2008073147.tif 000002
【特許請求の範囲】
【請求項１】
遊技機内部に粘着する所定の粘着強度を有し、ムーニー粘度３０〜８０の透明な絶縁体により構成される遊技機の不正行為防止材。
【請求項２】
前記絶縁体が、シリコーンを主原料とするものである請求項１記載の不正行為防止材。
【請求項３】
遊技機内部の配線接続部または隙間に、請求項１または２に記載の遊技機の不正行為防止材を粘着させることを特徴とする不正行為を防止した遊技機の製造方法。
【請求項４】
遊技機内部の配線接続部または隙間に、遊技機内部に粘着する所定の粘着強度を有し、ムーニー粘度３０〜８０の透明な絶縁体により構成される遊技機の不正行為防止材を粘着させることを特徴とする不正行為防止方法。
【発明の詳細な説明】
【技術分野】
【０００１】
本発明は、回胴式遊技機（スロットマシン）やパチンコ等の遊技機における不正行為を防止する遊技機の不正行為防止材および不正行為を防止した遊技機の製造方法、並びに不正行為防止方法に関する。
【背景技術】
【０００２】
回胴式遊技機やパチンコ等の遊技機において、器具を使用しての不正行為が横行している。不正行為者は、遊技機の隙間や新たに開けた孔からピアノ線等の器具を差し込み、遊技機の配線接続部等に接触させることにより、遊技機の払い出し装置等の誤作動を誘発させ、不正に玉やメダル等を払い出す。
【０００３】
従来、遊技機の配線接続部には、一般にホットボンドと称される酢酸ビニール樹脂系接着剤により保護されている。酢酸ビニール樹脂系接着剤は、例えば、特許文献１に記載のようにガンタイプの工具により熱で溶かして接着され、冷えることにより硬化するので、配線接続部を非常に強く固定することができる。
【０００４】
【特許文献１】特開２０００−１５９５２号公報（段落０００２）
【発明の開示】
【発明が解決しようとする課題】
【０００５】
ところが、前述の酢酸ビニール樹脂系接着剤を使用した場合、一度硬化してしまった接着剤は取り外すことが非常に困難であり、元の状態に復元することが難しい。遊技機は、メンテナンスする際、販売する際、レンタルする際、撤去する際や酢酸ビニール樹脂系接着剤の使用が禁止されている地域に搬入する際等に、遊技機内部の配線を変更したり、内部の機器を交換したりすることがあるので、前述の酢酸ビニール樹脂系接着剤を使用した場合はこれらの作業が困難となる。
【０００６】
そこで、本発明においては、遊技機の隙間や新たに開けた孔からピアノ線等の器具を用いた不正行為を防止しつつ、メンテナンスする際、販売する際、レンタルする際、撤去する際や酢酸ビニール樹脂系接着剤の使用が禁止されている地域に搬入する際等には容易に取り外すことが可能な遊技機の不正行為防止材および不正行為を防止した遊技機の製造方法、並びに不正行為防止方法を提供することを目的とする。
【課題を解決するための手段】
【０００７】
本発明の遊技機の不正行為防止材は、遊技機内部に粘着する所定の粘着強度を有し、ムーニー粘度３０〜８０の透明な絶縁体により構成されるものである。なお、透明とは、半透明を含むものとする。
【０００８】
本発明の遊技機の不正行為防止材は、遊技機内部の配線接続部または隙間に粘着させて使用する。この不正行為防止材を使用した遊技機では、遊技機の隙間や新たに開けた孔からピアノ線等の器具を差し込んでも、ムーニー粘度３０〜８０の絶縁体により構成される不正行為防止材をこの器具が容易に貫通することがなく、不正行為を防止することができる。また、仮に不正行為防止材を貫通したとしても、遊技機の隙間や新たに開けた孔から不正行為防止材越しに手探りで目的の配線接続部等に辿り着くことは困難となり、不正行為を防止することができる。
【０００９】
また、この不正行為防止材は、酢酸ビニール樹脂系接着剤のように冷えても硬化しないので、メンテナンス時には容易に取り外すことが可能である。また、この不正行為防止材は、透明であるため、取り付けたままの状態でも配線接続部の状態を確認することが可能であり、メンテナンスが容易である。さらに、この不正行為防止材は、絶縁体により構成されているので、配線接続部に粘着させても電気的絶縁が保たれ、機器の動作に影響はない。なお、ムーニー粘度３０未満では柔らかすぎて、ピアノ線の貫通防止が十分にできなくなる。また、ムーニー粘度８０超では硬すぎて、手で加工することが難しく、取り付け部分に十分に密着させることができなくなる。
【００１０】
また、本発明の遊技機の絶縁体が、シリコーンを主原料とするものであることが望ましい。シリコーンは、無色かつ無臭で撥水性があり、耐油性、耐酸化性、耐熱性に優れているので、遊技機内部の環境に適している。なお、本発明の遊技機の絶縁体としては、シリコーンの他、ＥＰＤＭ（エチレン−プロピレン−ジエンゴム）やポリウレタン等を用いることが可能である。
【発明の効果】
【００１１】
（１）遊技機内部に粘着する所定の粘着強度を有し、ムーニー粘度３０〜８０の透明な絶縁体により構成される遊技機の不正行為防止材によれば、遊技機の隙間や新たに開けた孔からピアノ線等の器具を差し込んでも、この不正行為防止材をこの器具が容易に貫通することがなく、不正行為を防止することができる。また、仮に不正行為防止材を貫通したとしても、遊技機の隙間や新たに開けた孔から不正行為防止材越しに手探りで目的の配線接続部等に辿り着くことは困難となり、不正行為を防止することができる。
【００１２】
（２）この不正行為防止材は、酢酸ビニール樹脂系接着剤のように冷えても硬化しないので、メンテナンス時には容易に取り外すことが可能であり、容易にメンテナンスを行える。また、この不正行為防止材は、透明であるため、取り付けたままの状態でも配線接続部の状態を確認することが可能であるため、メンテナンスが容易である。
【発明を実施するための最良の形態】
【００１３】
本発明の実施の形態における遊技機の不正行為防止材は、シリコーンを主原料とする透明な絶縁体であって、遊技機内部に粘着する所定の粘着強度を有するものである。なお、本実施形態において使用する不正行為防止材は、シリコーン６５〜７５％、シリカ２５〜３５％のシリコーン混和物である。また、外観は半透明で、性状はペースト状である。また、体積抵抗率は１×１０15Ω・ｃｍである。
【００１４】
ここで、遊技機内部に粘着する所定の粘着強度とは、他の接着剤等を用いずに、遊技機内部に粘着する程度の粘着性を有する程度のものを言う。また、この不正行為防止材は、日本工業規格（ＪＩＳ）Ｋ６３００−１のムーニー粘度試験においてムーニー粘度３０〜８０を満たすものである。
【００１５】
本実施形態における不正行為防止材は、遊技機内部の配線接続部または隙間に粘着させて使用する。図１は本実施形態における不正行為防止材の使用状態を示す図である。本実施形態における不正行為防止材１は、配線接続部２を覆い隠すように粘着させたり（図１参照。）、遊技機内部の隙間を埋めるように粘着させたりして使用する。
【００１６】
この不正行為防止材を使用した遊技機では、遊技機の隙間や新たに開けた孔からピアノ線等の器具を差し込んでも、ムーニー粘度３０〜８０の絶縁体により構成される不正行為防止材をこの器具が容易に貫通することがなく、不正行為を防止することができる。また、仮に不正行為防止材を貫通したとしても、遊技機の隙間や新たに開けた孔から不正行為防止材越しに手探りで目的の配線接続部等に辿り着くことは困難となり、不正行為を防止することができる。
【００１７】
また、この不正行為防止材は、酢酸ビニール樹脂系接着剤のように冷えても硬化しないので、メンテナンス時には容易に取り外すことが可能である。また、この不正行為防止材は、透明であるため、取り付けたままの状態でも配線接続部の状態を確認することが可能であるため、メンテナンスが容易である。さらに、この不正行為防止材は、絶縁体により構成されているので、配線接続部に粘着させても電気的絶縁が保たれるので、機器の動作に影響はない。なお、ムーニー粘度３０未満では柔らかすぎて、ピアノ線の貫通防止が十分にできなくなる。また、ムーニー粘度８０超では硬すぎて、手で加工することが難しく、取り付け部分に十分に密着させることができなくなる。
【００１８】
また、この不正行為防止材は、無色かつ無臭で撥水性があり、耐油性、耐酸化性、耐熱性に優れるシリコーンを主原料とするものであるため、様々な発熱機器や動作機構等が配置されている遊技機内部の環境に適している。
【実施例】
【００１９】
本実施形態における不正行為防止材について試験を行った。試験結果を表１に示す。表１において、◎は最良、○は良、△は不十分、×は難有りを表している。表１の結果から、ムーニー粘度が３０〜８０の範囲にあるものであれば加工性を損なわずにピアノ線等の貫通防止を十分に行うことが可能であることが確認できた。なお、比較例１については条件によってはムーニー粘度が３０未満となることがあるため、耐貫通性が不十分となることがあった。
【００２０】
【表１】
2008073147.tif 000003
【産業上の利用可能性】
【００２１】
本発明の不正行為防止材は、回胴式遊技機やパチンコ等の遊技機における不正行為を防止するものとして有用である。
【図面の簡単な説明】
【００２２】
【図１】本実施形態における不正行為防止材の使用状態を示す図である。
【符号の説明】
【００２３】
１  不正行為防止材
２  配線接続部
【図１】
2008073147.tif 000004